(57)【要約】【課題】電源などの駆動源を用いることなく人力で操作可能な小型で軽量なのし紙位置決め装置包装紙を提供する。【解決手段】物品４が嵌め込まれる物品嵌めこみ部５と、物品４に貼られるのし紙３を物品嵌めこみ部５に対して覆うように位置決めするのし紙位置決め部６とを備え、物品嵌めこみ部５は、のし紙位置決め部６に位置決めされたのし紙３とともに物品４が嵌め込まれた状態で、のし紙３が物品４に巻き付けられる方向に沿って回動可能であるので、人力で操作可能な物品嵌めこみ部５とのし紙位置決め部６とを備えた小型で軽量なのし紙位置決め装置１とすることができる。【選択図】図２
2014104994.tif 000002
【特許請求の範囲】
【請求項１】
物品が嵌め込まれる物品嵌めこみ部と、
物品に貼られるのし紙を物品嵌めこみ部に対して覆うように位置決めするのし紙位置決め部とを備え、
物品嵌めこみ部は、のし紙位置決め部に位置決めされたのし紙とともに物品が嵌め込まれた状態で、のし紙が物品に巻き付けられる方向に沿って回動可能であることを特徴とするのし紙位置決め装置。
【請求項２】
物品嵌めこみ部には、物品嵌めこみ部に嵌め込まれた物品を持ち上げる持ち上げ部が設けられていることを特徴とする請求項１に記載ののし紙位置決め装置。
【請求項３】
物品嵌めこみ部には物品を案内する物品用ガイドが設けられており、前記物品用ガイドは物品のサイズに合わせて取り付け位置を変更可能であることを特徴とする請求項１または２に記載ののし紙位置決め装置。
【請求項４】
のし紙位置決め部にはのし紙を案内するのし紙用ガイドが設けられており、前記のし紙用ガイドはのし紙のサイズに合わせて取り付け位置を変更可能であることを特徴とする請求項１〜３のうちいずれか１項に記載ののし紙位置決め装置。
【発明の詳細な説明】
【技術分野】
【０００１】
本発明は、お歳暮などの品物に貼るのし紙の位置決めをする位置決め装置に関する。
【背景技術】
【０００２】
特許文献１には、品物と品物に貼るのし紙の位置決めをする位置決め装置が記載されている。位置決め装置は、テーブルに設置されたのし紙に対してのし紙の上に置かれた品物をのし紙が巻き付けられる方向と直交する方向に位置決めするＹ軸方向位置決め機構と、テーブルに設置されたのし紙に対してのし紙の上に置かれた品物をのし紙が巻き付けられる方向に位置決めするＸ軸方向位置決め機構と、のし紙の端部を品物の端面に沿わせて立ち上げる立ち上げ機構とを備えている。
【先行技術文献】
【特許文献】
【０００３】
【特許文献１】特開２０１１−１１６３８６号公報
【発明の概要】
【発明が解決しようとする課題】
【０００４】
特許文献１に記載の位置決め装置では、のし紙に対して品物を位置決めする機構や、のし紙の端部を品物に沿わせて立ち上げる機構にモータ駆動のリニヤガイドが用いられており装置が大きいので、設置場所を任意に選んで簡便に用いることができない。
【０００５】
本発明の目的は、このような課題を解決するもので、電源などの駆動源を用いることなく人力で操作可能な小型で軽量なのし紙位置決め装置包装紙を提供することである。
【課題を解決するための手段】
【０００６】
この課題を解決するために請求項１に記載の発明は、物品が嵌め込まれる物品嵌めこみ部と、物品に貼られるのし紙を物品嵌めこみ部に対して覆うように位置決めするのし紙位置決め部とを備え、物品嵌めこみ部は、のし紙位置決め部に位置決めされたのし紙とともに物品が嵌め込まれた状態で、のし紙が物品に巻き付けられる方向に沿って回動可能であることを特徴とするものである。
【０００７】
請求項２に記載の発明は、物品嵌めこみ部には、物品嵌めこみ部に嵌め込まれた物品を持ち上げる物品持ち上げ部が設けられていることを特徴とするものである。
請求項３に記載の発明は、物品嵌めこみ部には物品を案内するガイドが設けられており、前記ガイドは物品のサイズに合わせて取り付け位置を変更可能であることを特徴とするものである。
【０００８】
請求項４に記載の発明は、のし紙位置決め部にはのし紙を案内するのし紙用ガイドが設けられており、前記のし紙用ガイドはのし紙のサイズに合わせて取り付け位置を変更可能であることを特徴とするものである。
【発明の効果】
【０００９】
請求項１記載の発明によれば、人力で操作可能な物品嵌め込み部とのし紙位置決め部とを備えた小型で軽量なのし紙位置決め装置包装紙とすることができる。
請求項２記載の発明によれば、物品嵌めこみ部に嵌め込まれた物品を物品持ち上げ部が持ち上げるので、物品嵌めこみ部に嵌め込まれた物品を容易に取り出すことができる。
【００１０】
請求項３記載の発明によれば、サイズが異なる複数の物品の位置決めを行うことができる。
請求項４記載の発明によれば、サイズが異なる複数ののし紙の位置決めを行うことができる。
【図面の簡単な説明】
【００１１】
【図１】本発明の一実施形態におけるのし紙位置決め装置の平面図である。
【図２】同のし紙位置決め装置の正面図である。
【図３】同のし紙位置決め装置の側面図である。
【図４】同のし紙位置決め装置の背面図である。
【図５】同物品が物品嵌めこみ部５に嵌め込まれた状態ののし紙位置決め装置の正面図である。
【図６】同のし紙の状態を示す斜視図である。
【図７】同物品が嵌め込まれた物品嵌めこみ部を９０°右回転した状態を示す正面図である。
【図８】同物品が嵌め込まれた物品嵌めこみ部を１８０°左回転した状態を示す正面図である。
【発明を実施するための形態】
【００１２】
以下、本発明の一実施形態について図１に基づいて説明する。のし紙位置決め装置１は、本体部２と、本体部２に回動可能に支持されのし紙３とともに物品４が嵌め込まれる物品嵌めこみ部５と、物品４に貼られるのし紙３を物品嵌めこみ部５に対して位置決めするのし紙位置決め部６とを備えている。本体部２は、平板状のベースプレート７と、ベースプレート７の両端部から立ち上がるＬ字状の脚部８ａ，８ｂとを備えている。物品嵌めこみ部５は、物品嵌めこみ部５の底部を構成する底板９と、底板９の両端部から立ち上がる腕部１０，１０とを備えている。
【００１３】
のし紙位置決め部６は、のし紙３の位置決めをするのし紙用ガイド１１ａ，１１ｂと、のし紙用ガイド１１ａ，１１ｂを脚部８ｂに固定するブラケット１２とを備える。のし紙用ガイド１１ａと１１ｂとは左右対称である。
【００１４】
ベースプレート７の１端部から立ち上がる脚部８ａの上端にはブッシュ１３が取り付けられており、腕部１０の上端は、ブッシュ１３に回動可能に嵌め込まれたシャフト１４にねじ止めされている。
【００１５】
ベースプレート７の他端部から立ち上がる脚部８ｂの上端にはブッシュ１３が取り付けられており、腕部１０の上端は、ブッシュ１３に回動可能に嵌め込まれたシャフト１５にねじ止めされている。脚部８ｂにはシャフト１５を覆うように、プランジャフランジ１６が取り付けられている。プランジャフランジ１６には半径方向に４箇所等間隔にボールプランジャ１７が取り付けられており、これら４つのボールプランジャ１７は、シャフト１５の外周面に４箇所等間隔に形成されたＶ字状の溝部１８に係合可能である。これによって物品嵌めこみ部５は、物品が嵌め込まれる前の水平な状態と、水平な状態から左右両側に９０°回転させた状態で固定可能である。なお、脚部８ｂの上端にはストッパ１９が取り付けられている。
【００１６】
物品嵌めこみ部５の底部を構成する底板９には、物品嵌めこみ部５に嵌め込まれた物品４を持ち上げる物品持ち上げ部２３が設けられている。物品持ち上げ部２３は、物品４がのし紙３とともに載置される載置板２４を備える。なお、本実施の形態においては、載置板２４の表面には滑り止めのためのゴム板が貼られている。載置板２４の下面側中央には圧縮コイルばね２５が設けられており、載置板２４の下面側の対向する角部には２つのガイドバー２６，２６が設けられている。圧縮コイルばね２５は、一端部が載置板２４の下面に固定される保持棒２７に装着され、下端が底板９の下面側に設置された受け金２８で受けられる。
【００１７】
ガイドバー２６，２６は、底板９の下面に取り付けられたブッシュ２９，２９に挿通されており、ガイドバー２６，２６の下端はホルダー３０に固定される。ブッシュ２９には不図示のボールプランジャが取り付けられており、載置板２４が下降したとき、ボールプランジャはガイドバー２６の外周面に形成された不図示の溝部に係合可能である。載置板２４がボールプランジャによって固定された状態で、作業者がホルダー３０を押し上げることによって、載置板２４は下降する前の状態に復帰可能である。
【００１８】
底板９の前部と左右両側には、のし紙３とともに載置板２４に載置される物品４を案内する樹脂製の物品用ガイド３３，３４，３５が設けられる。底板９の前部に設けられる物品用ガイド３３は物品４の前部端面の位置決めをし、底板９の左右に設けられる物品用ガイド３４，３５は物品４の左右方向の位置決めをする。物品用ガイド３３，３４，３５を底板にねじ止めするねじ孔は長孔とされており、物品用ガイド３３，３４，３５の取り付け位置は、サイズが異なる複数の物品４に合わせて変更可能である。なお、右側に設けられる物品用ガイド３４は肉薄に形成されて上部が支持板３６に支持されており、物品４が当接したとき容易に弾性変形可能である。これによって左右の物品用ガイド３４，３５で確実に物品４を保持することができる。
【００１９】
のし紙位置決め部６のブラケット１２は金属製の平板を曲げ加工してコの字状に形成されており、コの字の底辺１２ａ中央部が脚部８ｂにねじ止めされる。ブラケット１２のコの字を形成する対向する２つの側片１２ｂ，１２ｂが物品嵌めこみ部５の前部両側に位置しており、この側片１２ｂ，１２ｂにのし紙用ガイド１１ａ，１１ｂが取り付けられる。のし紙用ガイド１１ａ，１１ｂの表面には２つの平面部が段付き状に形成されており、使用者は２種類ののし紙３から物品４のサイズに合ったのし紙３を選び、選んだのし紙３の角部をのし紙用ガイド１１ａ，１１ｂの平面部の角部に当てた状態で位置決め可能である。なお、のし紙３は２種類に限定されるものではなく、たとえば、のし紙用ガイド１１ａ，１１ｂの表面に３つ以上の平面部を設けて３種類以上ののし紙３を使用することができる。
【００２０】
ここで、２種類の物品４のうち大きい方の物品４にのし紙３を貼り付ける場合について説明する。物品嵌めこみ部５の底板９は水平とされ、底板９に取り付けられる物品用ガイド３３，３４，３５は大きい方の物品４に合わせて底板９の端部側に位置した状態で固定される。物品持ち上げ部２３の載置板２４は圧縮コイルばね２５のばね力によって持ち上げられた状態にある。
【００２１】
作業者は、この状態で大きいサイズの物品４用ののし紙３を、裏返した状態で前端角部がのし紙用ガイド１１ａ，１１ｂの平面部の角部に当接した状態で設置する。このときのし紙３の底面は載置板２４によって支えられており、のし紙３は安定した状態で位置決めされる（図２参照）。
【００２２】
次に、上下逆さまにした物品４を、位置決めされたのし紙３を下方に押し込むように、物品嵌めこみ部５に嵌め込む。なお、左右の物品用ガイド３４，３５は、のし紙３の幅よりも長尺に形成されており、のし紙３がのし紙用ガイド１１ａ，１１ｂに被さるように位置決めされた状態で、物品用ガイド３４，３５はのし紙３の両端から突出しているので、作業者は、前端面を物品用ガイド３３に当接させながら、物品４を左右の物品用ガイド３４，３５の間に容易に嵌め込むことができる。
【００２３】
作業者が物品４を押し込むと、物品４の底面と両側面とにのし紙３が当接し、のし紙３が当接した物品４は載置板２４とともに下降する。物品４がさらに圧縮コイルばね２５のばね力に抗して載置板２４とともに押し込まれると、物品４が物品嵌めこみ部５に深く嵌め込まれ、ブッシュ２９の不図示のボールプランジャがガイドバー２６の溝部に係合し、載置板２４は固定される（図５参照）。このときののし紙３の状態を図６に示す。
【００２４】
作業者が物品４が嵌め込まれた物品嵌めこみ部５を右回転させると、プランジャフランジ１６に取り付けられた４つのボールプランジャ１７がシャフト１５の溝部１８から外れる。底板９を水平位置から９０°右回転させて垂直に立たせると、プランジャフランジ１６の４つのボールプランジャ１７が再びシャフト１５の溝部１８に係合して底板９は固定される（図７参照）。作業者はのし紙３の一方の立ち上がり部が上部に位置した状態で容易にのし紙３の端部を物品４にテープ止めすることができる。
【００２５】
つぎに、物品４が嵌め込まれた物品嵌めこみ部５を左回転させると、プランジャフランジ１６に取り付けられた４つのボールプランジャ１７がシャフト１５の溝部１８から外れる。底板９をこの状態から１８０°左回転させて垂直に立たせると、プランジャフランジ１６の４つのボールプランジャ１７が再びシャフト１５の溝部１８に係合して底板９は固定される（図７参照）。作業者はのし紙３の他方の立ち上がり部が上部に位置した状態で容易にのし紙３の端部を物品４にテープ止めすることができる。
【００２６】
作業者が物品４が嵌め込まれた物品嵌めこみ部５を右回転させて、底板９を水平位置とし、ホルダー３０を押し上げることによって、ブッシュ２９のボールプランジャがガイドバー２６の溝部から外れ、載置板２４は圧縮コイルばね２５のばね力によって上昇し下降する前の状態に戻る（図２参照）。のし紙３が貼られた物品４は物品嵌めこみ部５から押し上げられた状態となる。
【００２７】
このように、物品４が嵌め込まれる物品嵌めこみ部５と、物品４に貼られるのし紙３を物品嵌めこみ部５に対して覆うように位置決めするのし紙位置決め部６とを備え、物品嵌めこみ部５は、のし紙位置決め部６に位置決めされたのし紙３とともに物品４が嵌め込まれた状態で、のし紙３が物品４に巻き付けられる方向に沿って回動可能であるので、人力で操作可能な物品嵌めこみ部５とのし紙位置決め部６とを備えた小型で軽量なのし紙位置決め装置１とすることができる。
【００２８】
さらに、物品嵌めこみ部５には、物品嵌めこみ部５に嵌め込まれた物品４を持ち上げる物品持ち上げ部２３が設けられているので、物品嵌めこみ部５に嵌め込まれた物品４を容易に取り出すことができる。
【００２９】
さらに、物品嵌め込み部５には物品４を案内する物品用ガイド３３，３４，３５が設けられており、物品用ガイド３３，３４，３５は物品４のサイズに合わせて取り付け位置を変更可能であるので、サイズが異なる複数の物品４の位置決めを行うことができる。
【００３０】
さらに、のし紙位置決め部６にはのし紙３を案内するのし紙用ガイド１１ａ，１１ｂが設けられており、のし紙用ガイド１１ａ，１１ｂはのし紙３のサイズに合わせて取り付け位置を変更可能であるので、サイズが異なる複数ののし紙３の位置決めを行うことができる。
【符号の説明】
【００３１】
１    のし紙位置決め装置
２    本体部
３    のし紙
４    物品
５    物品嵌めこみ部
６    のし紙位置決め部
７    ベースプレート７
８ａ，８ｂ    脚部
９    底板
１０    腕部
１１ａ，１１ｂ    のし紙用ガイド
１２    ブラケット
１２ａ    底辺
１２ｂ    側片
１３    ブッシュ
１４，１５    シャフト
１６    プランジャフランジ
１７    ボールプランジャ
１８    溝部
１９    ストッパ
２３    物品持ち上げ部
２４    載置板
２５    圧縮コイルばね
２６    ガイドバー
２７    保持棒
２８    受け金
２９    ブッシュ
３０    ホルダー
３３，３４，３５    物品用ガイド
３６    支持板
【図１】
2014104994.tif 000003
【図２】
2014104994.tif 000004
【図３】
2014104994.tif 000005
【図４】
2014104994.tif 000006
【図５】
2014104994.tif 000007
【図６】
2014104994.tif 000008
【図７】
2014104994.tif 000009
【図８】
2014104994.tif 000010